(57)【要約】【課題】  煙草などの商品の陳列販売体の梱包搬送が簡易になりかつユーザー側における取扱いが簡易となる什器を提供する。【解決手段】  硬質紙材により構成する本体Ａの上背面部から表示部６及び棚部８を設け、前記本体の正面下側部に同質紙材により一体に構成する副体Ｂは表示部１１及び棚部１１’を設け、前記本体の左右両側部に同質紙材により構成する側体Ｃ，Ｃは外側表示部１５，前側表示部１６，内側部１７及び後側部を設け、前記両側体の上下内側部に位置齟齬した通孔３５，３５を設け、前記両側体の内部に仲介板３６，３６を配置し、前記本体の各耳片と両側体の各耳片と各仲介板の掛止孔に各１本の輪ゴム３４，３４を掛止めて本体と両側体とを連結し、前記本体の各棚部内を通過し前記両側体の通孔部に各止着する輪ゴムにより本体と両側体を連結し、両側体を本体に対し後方に反転するとともにこれを水平に折畳み、さらに両側体及び本体を折畳むようにする。【選択図】    図９
2008183242.tif 000002
【特許請求の範囲】
【請求項１】
任意の硬質紙材によって構成する本体は、正面部中央に横折畳み線を介して上下に背面部を構成し、この両背面部の左右端部に縦折畳み線を介して耳片を設け、この各耳片角部には掛止孔を設け、前記上背面部から横折畳み線を介して主表示部及び２つの表示部を形成し、これら三表示部によって段部を形成するようにし、
前記本体の正面下側部に同質紙材によって一体に構成する副体は、横折畳み線を介して主表示部及び２つの表示部を形成し、これら三表示部によって段部を形成するようにし、
前記本体の左右両側部に同質紙材によって構成する側体は、それぞれ縦折畳み線を介して外側表示部，前側表示部及び内側部を形成する箱形状に成り、前記外側表示部に縦折畳み線を介して設けた後側部には縦折畳み線を介して耳片を設け、前記内側部にも縦折畳み線を介して耳片を設け、この各耳片角部には掛止孔を設け、
前記両側体の上下内側部にその位置を齟齬して通孔を設け、
前記箱形状に成る両側体の内部には仲介板を設置し、この仲介板の上下両中央部には掛止孔を設け、
前記本体の上下左右耳片角部と両側体の上下左右耳片角部と各仲介板の掛止孔には１本の輪ゴムをそれぞれ掛止めて本体と両側体とを連結し、
前記本体の上下表示部によって構成する段部の内部を通入し両側体の内側部に止着する輪ゴムによって両側体を本体と連結し、
両側体を本体に対して後方に１８０°転回するとともにこれを水平に折畳むとともに両側体及び本体をさらに一体に折畳むようにすることを特徴とする
商品陳列体。
【発明の詳細な説明】
【技術分野】
【０００１】
本発明は、広く商品陳列体に関するものであり、煙草その他の商品の販売陳列のための構成体が取扱い簡易でコンパクトにまとまるようにするものである。
【背景技術】
【０００２】
従来、この種のものとして、例えば、特許第３６０５６０２号公報、特開２０００−３１３０号公報のごときものが知られているが、これらの機構や操作が複数であるため、安価なコストで構成することが困難であった。
【特許文献１】特許第３６０５６０２号公報
【特許文献２】特開２０００−３１３０号公報
【発明の開示】
【発明が解決しようとする課題】
【０００３】
そこで、本発明は、メーカーからディーラーやユーザーへの輸送のための梱包の利便性を考え、大型の広告体であってもこれを小さい折畳み状態に変形して梱包して輸送し、使用時には、小さな梱包状態から解放して大型の広告体に変化するようにした実用性の高い情報表示体を提供することを目的とするもので、利用範囲としては、例えば煙草，携帯電話器，携帯プレーヤーなどの小物類の陳列販売用の什器として有効なものとなる。
【課題を解決するための手段】
【０００４】
本発明は、任意の硬質紙材によって構成する本体は、正面部中央に横折畳み線を介して上下に背面部を構成し、この両背面部の左右端部に縦折畳み線を介して耳片を設け、この各耳片角部には掛止孔を設け、前記上背面部から横折畳み線を介して主表示部及び２つの表示部を形成し、これら三表示部によって段部を形成するようにし、前記本体の正面下側部に同質紙材によって一体に構成する副体は、横折畳み線を介して主表示部及び２つの表示部を形成し、これらの表示部によって段部を形成するようにし、前記本体の左右両側部に同質紙材によって構成する側体は、それぞれ縦折畳み線を介して外側表示部，前側表示部及び内側部を形成する箱形状に成り、前記外側表示部に縦折畳み線を介して設けた後側部には縦折畳み線を介して耳片を設け、前記内側部にも縦折畳み線を介して耳片を設け、この各耳片角部には掛止孔を設け、前記両側体の上下内側部にその位置を齟齬して通孔を設け、前記箱形状に成る両側体の内部には仲介板を設置し、この仲介板の上下両中央部に掛止孔を設け、前記本体の上下左右耳片角部と両側体の上下左右耳片角部と各仲介板の掛止孔には１本の輪ゴムをそれぞれ掛止めて本体と両側体とを連結し、前記本体の上下表示部によって構成する段部の内部を通入し両側体の内側部に止着する輪ゴムによって両側体を本体と連結し、両側体を本体に対して後方に１８０°転回するとともにこれを水平に折畳むとともに両側体及び本体をさらに一体に折畳むように成るものである。
【発明の効果】
【０００５】
本発明にあっては、その構成体の全体が表面にコーティング印刷した硬質紙材から成る商品陳列体であるから、全体を構成する本体と左右両側体とを上下２本の輪ゴムの張架によって十分な緊張状態を良好に保持して立設することができるのみならず、左右両側体の１８０°の位置転換を円滑かつ確実に行うことができるようになる。
【０００６】
メーカーからディーラー又はユーザーへの梱包輸送時には、その本体と両側体の全体を前記組立体の４分の１位の大きさに縮小化することができるから、多数の構成体を包装梱包することができるようになり、コストダウンできるようになる。
【０００７】
縮小状態から組立状態への作業は、極めて簡単に行うことができるから、ディーラーやユーザーにとっては利便性はきわめてよく、必要に応じて有意義に使用することができる。
【発明を実施するための最良の形態】
【０００８】
本発明の各部材の組立て及び収納時には、２種類の輪ゴムの作用が要めとなるところ、いま図２及び図３にある組立て状態のものを小型化して収納梱包せんとするときは、図４の一部切欠図面に示すように、左右の側体内部に介在する仲介板を中心にその外部に位置する各耳片角部との間に、それぞれ輪ゴム３８，３８を掛止め張架した状態を利用して行うものである。
【０００９】
いま全体の背面部である図４に示すように、正面方向に向っている左側部の箱形状に成る側体Ｃを１８０°背面方向に引張る。すると、側体内部の仲介板に張架している輪ゴムを介して側体は、正面から本体Ａの背面部方向に回動して停止する。同様の作用を右側部の箱形状に成る両側体Ｃについても行う。
【００１０】
このように左右両側体Ｃ，Ｃの本体Ａの背面部側への位置転換が終了した時の状態の全体を背面部から見たのが図５、正面部から見たのが図６である。
【００１１】
次に、両側体Ｃ，Ｃの箱形部を押し潰して平面形状にした全体を本体の背面部から見たのが図７であり、本体の正面部から見たのが図８である。
【００１２】
しかる後に、本体Ａの中央横折畳み線２及び両側体Ｃ，Ｃの中央横折畳み線１８，１８と前側表示部１６と後側部２１の中央横折畳み線１８’，１８’とが一致しているから、この両部材を半分に折り畳むと、図９及び図１０に示した状態になる。
【００１３】
これによって、全体は最小限の大きさに折畳まれることになるから、この状態において梱包することになる。
【実施例】
【００１４】
Ａは任意の硬質紙材によって構成する本体で、この本体は正面部中央に横折畳み線２をはさんで上下に背面部１，３を設け、この両背面部の左右両端部には縦折畳み線４，４，４，４をはさんでそれぞれ耳片５，５，５，５を設ける。
【００１５】
６，６’，６”は前記上背面部３から横折畳み線７をはさんでそれぞれ折畳み線８，９を介して形成する表示部で、この中の主表示部６は具体的な商品（例えば煙草）の商標を印刷表示し、他の表示部６’，６”は横折畳み線８，９を介して前側方及び内側方に折畳まれるとともに内側に接着して段部１０を形成するようになる。
【００１６】
Ｂは前記本体Ａの正面下側部に用意する同質紙材によって構成する副体で、この副体は正面部に商標を印刷表示した主表示部１１をはさんで上下に横折畳み線１２，１２’を設け、下方の横折畳み線１２’は、両側端部に若干の切込部１４，１４を介して他の表示部１１’，１１”を前側方及び内側方に折畳むとともに、内側に接着して段部１３を形成する。（以上につき、図２参照）
【００１７】
前記表示部１１は横折畳み線１２を介して接着部３９を設け、この接着部は本体Ａの上背面部３に接着する。
【００１８】
前記副体Ｂの前側部に設けた段部１３には、この段部を支持するための補助板を表示部１１の背面部から接地するように設けることもできる。これによって段部上面に陳列する商品群の重量に耐え得るようにする。
【００１９】
Ｃ，Ｃは前記本体Ａの左右両側部に配置する同質紙材によって構成する側体で、この両側体は全体が縦長方形状を構成する外側表示部１５，１５、前側表示部１６，１６及び内側部１７，１７から箱形状に成るもので、前記前側表示部は平行する２つの縦折畳み線１９，１９’によって形成され、前記外側表示部１５，１５，前側表示部１６，１６及び内側部１７，１７の中間部にはこれらを横切る横折畳み線１８，１８，１８’，１８’を設けている。
【００２０】
前記上下の外側表示部１５，１５は、縦折畳み線２０，２０を介して上下に後側部２１，２１を形成するが、この後側部の外側方の上下には縦折畳み線２０’，２０’を介して耳片２２，２２を設ける。
【００２１】
前記後側部２１の上端部には補片２３を設ける。
【００２２】
前記内側部１７の上側方には横折畳み線２５を介して蓋片２６を設ける。
【００２３】
２７，２７は前記側体Ｃの内側部１７，１７から縦折畳み線２８，２８を介して設けた耳片で、この耳片は内側への曲折時にはフリー状態で前記内側部１７，１７の内側に当接するように成る。
【００２４】
２９，２９は中間に縦折畳み線３０，３０を介して曲折する仲介板で、この仲介板の外方部はフリー状態に成り、内側耳片３１，３１は縦折畳み線３２，３２を介して前記側体Ｃの前側表示部１５，１５の内側に接着する。
【００２５】
３３，３３・・は前記仲介板２９，２９の上下両中央部に設けた輪ゴム掛け孔である。前記仲介板２９は１枚の硬質紙材によって構成してもよいが、その場合でも適所にゴム掛け孔を設けている。
【００２６】
３４，３４は前記左右両側体Ｃ，Ｃの上下内側部１７，１７の齟齬する位置に設けた通孔３５，３５に，前記副体Ｂの横折畳み線１２，１２’，１２”による段部１３内を通入して外出して掛止める輪ゴムで、この輪ゴムの外出部は側体の内側部１７，１７にストッパー片３６，３６を配置して掛止めるようにする。この上下の両輪ゴム３４，３４の張架によって、本体Ａと両側体Ｃ，Ｃとの間の連結が緊張状態を保って固定されるようになる。
【００２７】
３７，３７・・は本体Ａの上下背面部１，３と耳片５，５，５，５との間の縦折畳み線４，４，４，４の各角部，両側体Ｃ，Ｃの内側部１７，１７と耳片２７，２７との間の縦折畳み線２２，２２，２２’，２２’の各角部にそれぞれ設けた輪ゴム掛け孔であり、これらの輪ゴム掛け孔及び前記仲介板２９，２９の上下両中央部に設けた輪ゴム掛け孔３３，３３・・には、すべて１本の輪ゴム３８，３８がそれぞれ掛け止まるように成る。
【図面の簡単な説明】
【００２８】
【図１】本発明の構成部材の展開図
【図２】組立て後の全体の正斜視図
【図３】組立て後の一部切欠背斜視図
【図４】折畳み開始時の一部切欠背斜視図
【図５】左右折畳みの全体の背斜視図
【図６】左右折畳み時の正斜視図
【図７】左右折畳み後の両側体の押潰し時の背斜視図
【図８】図７の状態の正斜視図
【図９】本体の上下両部の折畳み時の全体の正斜視図
【図１０】図９の状態の背斜視図
【図１１】要部の関係を示す斜視図
【図１２】全体要部の関係を示す斜視図
【符号の説明】
【００２９】
１，３                 背面部
２                     横折畳み線
３                     上背面部
４，４，４，４         縦折畳み線
５，５，５，５         耳片
６，６’，６”         表示部
７                     横折畳み線
８，９                 横折畳み線
１０                   段部
１１，１１’，１１”   表示部
１２，１２’，１２”   横折畳み線
１３                   段部
１４，１４             切込部
１５，１５             外側表示部
１６，１６             前側表示部
１７，１７             内側部
１８，１８             横折畳み線
１８，１８，１８’，１８’ 中央横折畳み線
１９，１９’             縦折畳み線
２０’，２０’           縦折畳み線
２１，２１               後側部
２２，２２，２２’，２２’ 縦折畳み線
２３                     補片
２５                     横折畳み線
２６                     蓋片
２７，２７               耳片
２８，２８               縦折畳み線
２９，２９               仲介板
３０，３０               縦折畳み線
３１，３１               内側耳片
３２，３２               縦折畳み線
３３，３３・・           輪ゴム掛止孔
３４，３４              輪ゴム
３５，３５               通孔
３６，３６               ストッパー片
３７，３７・・           輪ゴム掛止孔
３８，３８               輪ゴム
３９                     接着部
【図１】
2008183242.tif 000003
【図２】
2008183242.tif 000004
【図３】
2008183242.tif 000005
【図４】
2008183242.tif 000006
【図５】
2008183242.tif 000007
【図６】
2008183242.tif 000008
【図７】
2008183242.tif 000009
【図８】
2008183242.tif 000010
【図９】
2008183242.tif 000011
【図１０】
2008183242.tif 000012
【図１１】
2008183242.tif 000013
【図１２】
2008183242.tif 000014